(57)【要約】【課題】飲料用自動販売機に適する菓子類の容器であって、安価に製造できて、リサイクル容易であり、しかも確実に取り出し口に誘導して菓子類の破砕を防止できる容器を提供すること。【解決手段】筒状の紙管と両開口部に嵌合される封止部材とを有する包装容器であって、紙管の開口部及び周壁部を前記第一封止部材及び第二封止部材によって被覆して構成する。そして、包装容器の容器内側壁に沿ってパンフレットまたはリーフレットを配置する。胴部が紙管から構成されているため、安価に製造できて、リサイクル容易である。また、パンフレットまたはリーフレットの重量により、自動販売機内部で引っ掛かることなく誘導できる。しかも、前記パンフレットまたはリーフレットは容器の内側壁に沿って配置されており、衝撃に対する緩衝性があり、取り出し口に落下した時の衝撃を吸収して破砕を防止できる。なお、紙管も緩衝性に優れ、衝撃を吸収する。【選択図】図１
2010271832.tif 000002
【特許請求の範囲】
【請求項１】
主に紙を主成分とする柱状の自動販売機用包装容器であって、容器内側壁に沿ってパンフレットまたはリーフレットを配置されていることを特徴とする自動販売機用包装容器。
【請求項２】
前記パンフレットまたはリーフレットが容器の内側壁全周にわたって配置されていることを特徴とする請求項１に記載の自動販売機用包装容器。
【請求項３】
前記容器が、両端に開口部を有する筒状の紙管と、この紙管の開口部のうちいずれか一方の開口部周壁部に着脱自在に嵌合される第一封止部材と、前記紙管の他方の開口部周壁部に嵌合される第二封止部材とを有し、
前記紙管の開口部及び周壁部は前記第一封止部材及び第二封止部材により被覆されていることを特徴とする、
請求項１又は２に記載の自動販売機用包装容器。
【請求項４】
前記第二封止部材が前記紙管に貼着されていることを特徴とする請求項３に記載の自動販売機用包装容器。
【請求項５】
前記紙管が厚さ０．１〜５．０ｍｍのスパイラル紙管であり、前記紙管の最大内径が５０〜３００ｍｍの範囲内にあることを特徴とする請求項３又は４に記載の自動販売機用包装容器。
【請求項６】
前記第一封止部材に開封用切込み線が刻設されていることを特徴とする請求項３〜５のいずれかに記載の自動販売機用包装容器。
【請求項７】
前記第一封止部材及び第二封止部材は、サック貼りした筒状部材と、この筒状部材のいずれか一方の開口部に蓋部材を固定してなることを特徴とする請求項３〜６のいずれかに記載の自動販売機用包装容器。
【発明の詳細な説明】
【技術分野】
【０００１】
本発明は、飲料用自動販売機による、菓子販売用の容器に関するものである。
【背景技術】
【０００２】
近年、自動販売機が普及し、扱われる商品も、清涼飲料水や酒類など液体飲料を始め、菓子類や栄養補助食品のような食品、さらにはマスクやストッキングなどのような非食品など、多岐に渡っている。
【０００３】
従来、飲料用販売機と共に菓子用販売機が別々に供される場合が多く、同時に購入したいと考える利用者から見れば至極不便であり、一方設置者および販売者から見れば、設置場所の制限や流通費用が嵩むなどの点から著しく不経済であった。このような状況を鑑みて、飲料用販売機にて供される缶容器と略同一の形状のプラスチック容器に菓子類を充填することで、菓子用販売機を設けずとも飲料用販売機にて菓子類を供することが提案されている（特許文献１，２）。また、飲料用販売機にて供される缶容器と略同一の形状の容器であって、紙製ブランクから製缶したものも知られている（特許文献３）
【先行技術文献】
【特許文献】
【０００４】
【特許文献１】特開平７−１６５２２６号公報
【特許文献２】実開平３−１５３２１号公報
【特許文献３】実開平５−８６８１８号公報
【発明の概要】
【発明が解決しようとする課題】
【０００５】
しかしながら、上記特許文献１，２の容器では、プラスチック製の容器を使用しているため原材料が高く、かつリサイクル原料として有効活用されにくいといった問題があった。
【０００６】
これに対し特許文献３に記載の容器は紙製ブランクから製缶したものであるから、その原材料は安価であり、またリサイクルも容易である。しかし、紙製ブランクから製缶した容器はその容器自体の重量が軽い上、収納される菓子類も重量が軽いため、販売時に自動販売機の内部に引っ掛かって、取り出し口に落下しないことがあった。また、取り出し口に落下した時、その落下の衝撃で菓子類が破砕することがあった。
【０００７】
そこで、本発明は、このような従来技術の問題を解決するためになされたものであり、飲料用自動販売機に適する菓子類の容器であって、安価に製造できて、かつ、リサイクル容易であり、しかも確実に取り出し口に誘導してその菓子類の破砕を防止することのできる容器を提供することを課題とする。
【課題を解決するための手段】
【０００８】
しなわち、請求項１に記載の発明は、主に紙を主成分とする柱状の自動販売機用包装容器であって、容器内側壁に沿ってパンフレットまたはリーフレットを配置されていることを特徴とする自動販売機用包装容器である。
【０００９】
この発明によれば、容器は紙を主成分として構成されているので、安価に製造できて、かつ、リサイクル容易である。そして、紙を主成分としているにも拘わらず、その内部にパンフレットまたはリーフレットを収納しているからその重量が大きくなり、自動販売機
にて販売する際に、自動販売機内部で引っ掛かることなく、確実に取り出し口に誘導することができる。しかも、前記パンフレットまたはリーフレットは容器の内側壁に沿って配置されており、衝撃に対する緩衝性があるから、この容器が取り出し口に落下した時、その落下の衝撃を吸収して菓子類の破砕を防止できるという効果がある。
【００１０】
次に、請求項２に記載の発明は、前記パンフレットまたはリーフレットが容器の内側壁全周にわたって配置されていることを特徴とする請求項１に記載の自動販売機用包装容器である。この発明によれば、パンフレットまたはリーフレットが容器の内側壁全周にわたって配置されており容器の重心が偏ることがないから、販売時に自動販売機内部で引っ掛かるおそれを一層軽減することができる。また、取り出し口に落下したときの容器の向きに関わらず衝撃を吸収することが可能である。
【００１１】
次に、請求項３に係る発明は、前記柱状の包装容器として、取り出し口に落下したときの衝撃に耐えて、しかも、その緩衝性を高めたものである。
【００１２】
すなわち、請求項３に記載の発明は、前記容器が、両端に開口部を有する筒状の紙管と、この紙管の開口部のうちいずれか一方の開口部周壁部に着脱自在に嵌合される第一封止部材と、前記紙管の他方の開口部周壁部に嵌合される第二封止部材とを有し、
前記紙管の開口部及び周壁部は前記第一封止部材及び第二封止部材により被覆されていることを特徴とする、
請求項１又は２に記載の自動販売機用包装容器である。
【００１３】
請求項３の発明によれば、その胴部が筒状の紙管から構成されているため、安価に製造でき、また、廃棄の後紙原料としてリサイクル容易である。しかも、筒状の紙管は、プラスチック製容器と比較して緩衝性に優れるから、例えば、自動販売機の取り出し口に落下させたときにも、この落下に伴って菓子類が容器内壁に衝突する際の衝撃を吸収して、これら菓子類の破砕を防止することができる。
【００１４】
なお、この筒状紙管の両端の開口部に嵌合される第一封止部材及び第二封止部材としては、紙製の封止部材、紙とプラスチックとを積層して構成される複合材からなる封止部材、あるいは、プラスチック製の封止部材が使用できる。
【００１５】
これら第一封止部材及び第二封止部材として紙製の封止部材を使用する場合には、これら封止部材も安価かつリサイクル容易で、しかも、これら封止部材内面に衝突する菓子類の破砕も防止することができる。なお、筒状紙管の両端の開口部をこれら第一封止部材及び第二封止部材によって嵌合しているから、収納した菓子類の保護性能も優れている。例えば、耐水性、耐熱性、防傷性、防汚性などの保護性能である。
【００１６】
また、第一封止部材及び第二封止部材として、紙とプラスチックの複合材を使用する場合には、この複合材には紙が使用されているから、これら封止部材も安価かつリサイクル容易で、しかも、封止部材内面に衝突する菓子類の破砕も防止することができる。また、これら封止部材は紙に加えてプラスチックを利用しているから、封止部材が紙単体で構成されている場合と比較して、前記保護性能が格段に向上する。
【００１７】
次に、第一封止部材及び第二封止部材として、プラスチック製の封止部材を使用する場合には、この封止部材が紙単体で構成されている場合や紙とプラスチックの複合材から構成されている場合と比較して、前記保護性能が一層向上する。
【００１８】
次に、請求項４に記載の発明は、前記第二封止部材が前記紙管に貼着されていることを特徴とする請求項３に記載の自動販売機用包装容器である。この発明によれば、前記第一
封止部材が着脱自在に嵌合されているのに対し、第二封止部材は紙管に貼着されて着脱が困難であり、従って、容器の開封は常に第一封止部材の取り外しによって行うことになる。このため、誤って両端が開くことがなく、菓子類の落下を防止することが可能となる。
【００１９】
また、請求項５に記載の発明は、前記紙管が厚さ０．１〜５．０ｍｍのスパイラル紙管であり、前記紙管の最大内径が５０〜３００ｍｍの範囲内にあることを特徴とする請求項３又は４に記載の自動販売機用包装容器である。この発明によれば、前記紙管がスパイラル紙管であるため、低コストで製造が容易である。また、その厚さが０．１ｍｍ以上のスパイラル紙管であるため強度が高く、例えば自動販売機の取り出し口に落下したときにも歪むことがなく、菓子類の破砕を防止することもできる。また、５ｍｍより厚いとその製造コストが高くなる。なお、前記紙管の最大内径が５０〜３００ｍｍの範囲内にあるから、汎用の飲料用自動販売機にて、飲料缶と同様に販売することが可能である。
【００２０】
また、請求項６に記載の発明は、前記第一封止部材に開封用切込み線が刻設されていることを特徴とする請求項３〜５のいずれかに記載の自動販売機用包装容器である。この発明によれば、この切込み線から第一封止部材切断して容易に開封できる。
【００２１】
また、請求項７に記載の発明は、前記第一封止部材及び第二封止部材は、サック貼りした筒状部材と、この筒状部材のいずれか一方の開口部に蓋部材を固定してなることを特徴とする請求項３〜６のいずれかに記載の自動販売機用包装容器である。この発明では、封止部材の筒状部材をサック貼りして製造するから、その製造が容易となる。なお、蓋部材としては、この筒状部材の開口端部と略同一形状の平坦な板部材が使用でき、その周辺を筒状部材の端部で巻き締めることによって固定できる。
【００２２】
また、請求項８に記載の発明は、最外周をフレキシブルフィルムで被覆してなることを特徴とする請求項３〜７のいずれかに記載の自動販売機用包装容器である。この発明によれば、フレキシブルフィルムで容器外面を保護して、その汚れや傷付き、あるいは水分の侵入を防止することができる。また、その意匠性を向上させることができる。
【発明の効果】
【００２３】
以上のように、本発明によれば、安価かつリサイクル容易で、しかも、確実に取り出し口に誘導してその菓子類の破砕を防止することができるという効果を奏する。
【図面の簡単な説明】
【００２４】
【図１】本発明の実施例を、紙管、第一封止部材、第二封止部材に分離して示す斜視図
【図２】本発明の実施例の斜視図
【図３】本発明の第２の実施例の斜視図
【図４】本発明の第３の実施例の斜視図
【図５】本発明の第４の実施例の斜視図
【発明を実施するための形態】
【００２５】
次に、図面を参照して本発明を説明する。
【００２６】
図１に示すように、本発明の自動販売機用包装容器は、紙製の容器と、この紙製の容器の内側壁に沿って配置されたパンフレットまたはリーフレットとで構成されるものである。
【００２７】
紙製の容器は任意のものでよいが、その重さが１００ｇ以下の軽量の容器である場合、本発明の利点が特に生かされる。このような紙製容器としては、例えば、筒状紙管と、有底筒状の第一封止部材と、有底筒状の第二封止部材とでその主要部が構成されるものが好
ましく使用できる。図１は、本発明の自動販売機用包装容器を、紙管、第一封止部材、第二封止部材及び前記リーフレットに分離して示すものである。なお、図２には、組み立てた包装容器とリーフレットとの位置関係を示す斜視図である。
【００２８】
この例では、筒状紙管の両端の開口部のうちいずれか一方の開口部周壁部に前記第一封止部材が着脱自在に嵌合されている。なお、図示の例では、第一封止部材の周壁に開封用切込み線が設けられている。この場合には、開封の際にこの切込み線から第一封止部材の周壁を切断することによって前記第一封止部材を開封できる。なお、この場合、第一封止部材は切断後に筒状紙管に残る先端部が筒状紙管に貼着固定されていることが望ましい。この場合でも、切断された前記第一封止部材は筒状紙管から分離可能であると共に、筒状紙管の端部に再度被せることができる。すなわち、着脱自在である。
【００２９】
次に、他方の開口部周壁部に前記第二封止部材が嵌合されている（図２参照）。第二封止部材は筒状紙管に貼着固定されていてもよいし、着脱自在に筒状紙管に嵌合されていてもよい。好ましくは、第二封止部材は筒状紙管に貼着固定されている。この場合、容器の開封は常に第一封止部材の取り外しによって行うことになる。このため、誤って両端が開くことがなく、菓子類の落下を防止することが可能となる。
【００３０】
なお、図１に示すように、筒状紙管の長さａは、第一封止部材の高さｂと第二封止部材の高さｃの合計ｂ＋ｃより大きいか、せいぜい等しいことが望ましい。図１及び図２に示す例はａ＝ｂ＋ｃを満たすもので、このため、図２の斜視図では筒状紙管が第一封止部材と第二封止部材の内部に隠れている。
【００３１】
次に、パンフレット又はリーフレットは、前記紙管の内側壁に沿って配置されている。このため、これら、パンフレット又はリーフレットは丸められて紙管の内部に収納されている。なお、図１では、説明の便宜上、紙管の内側壁の全周の一部に配置されたリーフレットを図示しているが、パンフレット又はリーフレットは紙管の内側壁の全周にわたって配置することが望ましい。包装容器の重心を紙管の中心近辺に位置させて、自動販売機の取り出し口に確実に誘導すると共に、取り出し口に落下したときの衝撃を吸収して菓子類の破砕を防ぐためである。なお、パンフレット又はリーフレットの高さｄは筒状紙管の長さａと等しいか、あるいは短いことが望ましい。
【００３２】
なお、本発明の自動販売機用包装容器は、図示しないフレキシブルフィルムを使用して、このフレキシブルフィルムで包装容器全体を被覆したものであってもよい。
【００３３】
この包装容器は胴部に筒状紙管を使用しているため、安価に製造でき、また、廃棄の後紙原料としてリサイクル容易である。しかも、筒状の紙管は、プラスチック製容器と比較して緩衝性に優れるから、例えば、自動販売機の取り出し口に落下させたときにも、この落下に伴って菓子類が容器内壁に衝突する際の衝撃を吸収して、これら菓子類の破砕を防止することができる。なお、筒状紙管の両端の開口部をこれら第一封止部材及び第二封止部材によって嵌合しているから、収納した菓子類の保護性能も優れている。例えば、耐水性、耐熱性、防傷性、防汚性などの保護性能である。
【００３４】
次に、本発明の包装容器を構成する各部材について説明する。
【００３５】
まず、筒状紙管については、この筒状容器によって本発明の自動販売機用包装容器の外形は決定される。このため、筒状紙管は汎用の飲料用自動販売機に適合する外形と大きさとを有する必要がある。すなわち、筒状紙管の外径はおよそ５０〜３１０ｍｍの範囲にある必要がある。後述するように、紙管の厚みは０．１〜５ｍｍであるから、その最大内径は５０〜３００ｍｍである。
【００３６】
筒状紙管としてはスパイラル紙管が望ましい。スパイラル紙管は製造が容易で、しかも、その製造コストが安価である。また、高い強度を確保するため、その厚さが０．１ｍｍ以上のスパイラル紙管であることが望ましい。厚さが０．１ｍｍ以上のスパイラル紙管である場合、例えば自動販売機で販売する際にその取り出し口に落下したときにも歪むことがなく、菓子類の破砕を防止することもできる。なお、５ｍｍ以下でよい。これより厚いスパイラル紙管はその製造コストが高くなる。
【００３７】
筒状紙管として、図１には円筒状のスパイラル紙管を示しているが、この他，多角筒状、カップ状、円錐状、中央部が膨らんだオーバル状など各種形状のものを用いてもよい。図３には断面四角形の角筒状の紙管を用いた例、図４には中央部が膨らんだオーバル状の紙管を用いた例を示す。
【００３８】
次に、第一封止部材及び第二封止部材はいずれも有底筒状の形状を有し、その周壁を構成する筒状部材と、この筒状部材のいずれか一方の開口部を塞いで筒状部材に固定された蓋部材とで構成されたものである。
【００３９】
筒状部材は、筒状紙管の外径とほぼ同一の内径を有し、隙間なく前記紙管に被せることができるものであることが望ましい。このような筒状部材としてスパイラル紙管を使用することもできるが、サック貼りして得られた筒状部材を使用することが簡便である。すなわち、平坦な紙片を丸めあるいは折り曲げて筒状とし、その両端を互いに接着してこの筒状部材を得ることができる。図１は、第一封止部材及び第二封止部材として円筒状に丸めて得られた筒状部材を用いた例である。図３は同様に、角筒状に折り曲げて得られた筒状部材を用いており、図４は円錐台形状に丸めて得られた筒状部材を用いている。また、平坦な紙片を折り曲げる場合、その折り曲げ位置に予め押し罫線を設け、この押し罫線に従って折り曲げることもできる。図５はこのように多数の押し罫線を設けてこの押し罫線に従って折り曲げた筒状部材を使用した例で、断面多角形の筒状部材としている。いずれの場合においても、この筒状部材には前記開封用切込み線を設けることができる。
【００４０】
次に、蓋部材としては、筒状部材の開口端部と略同一形状の平坦な板部材が使用でき、その周辺を筒状部材の端部で巻き締めることによって固定できる。
【００４１】
これら筒状部材及び蓋部材は、紙単体、紙とプラスチックの複合材、あるいはプラスチックから構成することができる。紙単体から構成した場合には、安価かつリサイクル容易であり、しかも、この紙単体は緩衝性に優れるから、例えば、自動販売機の取り出し口に落下させたときにも、この落下に伴って菓子類が筒状部材内面や蓋部材内面に衝突する際の衝撃を吸収して、これら菓子類の破砕を防止することができる。
【００４２】
また、紙とプラスチックの複合材から構成した場合には、安価かつリサイクル容易であり、自動販売機の取り出し口に落下させたときにも菓子類の破砕を防止することができる。また、紙単体から構成した場合に比較して、耐水性、耐熱性、防傷性、防汚性などの保護性能が格段に向上する。プラスチックとしてはポリエチレンやポリエステルが使用できる。例えば、紙の片面又は両面にポリエチレンやポリエステルを積層した積層体である。また、紙を中心として、その片面にポリエチレンを積層し、他の片面にポリエステルを積層した積層体を使用することもできる。
【００４３】
また、筒状部材と蓋部材とをプラスチックから構成した場合には、紙単体から構成した場合や紙とプラスチックの複合材から構成した場合に比較して、前記保護性能が一層向上する。プラスチックとしてはポリエチレンやポリエステルが使用できる。
【００４４】
次に、パンフレット又はリーフレットには、菓子類の説明、キャンペーンの告知やその応募要綱等を記載することができる。また、これらパンフレット又はリーフレットの一部又は全部が応募はがきを構成していてもよい。
【００４５】
このようなパンフレット又はリーフレットは１枚の紙片からなるものであってもよいが、１枚の紙片を１本又は複数本の折り曲げ線から折り曲げてその紙片を重ね合わせたものや、複数枚の紙片を中綴じして冊子体としたものが使用できる。
【００４６】
また、包装容器全体を被覆する前記フレキシブルフィルムとしては、ポリエチレンやポリプロピレンなどのポリオレフィンフィルム、ポリ塩化ビニルフィルム、ポリエステルフィルムなどが利用できる。
【００４７】
次に、本発明の包装容器は、まず第一封止部材及び第二封止部材のうちいずれか一方を筒状紙管の端部に嵌合して筒状紙管の一端を封止し、次にこの筒状紙管の内部に菓子類を収納した後、他方の封止部材を筒状紙管の開口端部に嵌合することで製造することができる。
【図１】
2010271832.tif 000003
【図２】
2010271832.tif 000004
【図３】
2010271832.tif 000005
【図４】
2010271832.tif 000006
【図５】
2010271832.tif 000007